(57)【特許請求の範囲】
【請求項１】
足裏全体を覆う足底部と、
足甲側に、爪先側前部を覆う甲側前部と、両側面を覆う一対の側部と、足首背面を覆う足首部とからなる甲側被覆部を備え、該甲側被覆部で履き口部を囲み、
前記甲側被覆部および前記足底部をレース材で形成し、前記足底部と前記足首部および前記一対の側部は１枚のレース材を立体裁断して形成している一方、前記甲側前部は略半円状のレース材で形成し、これらレース材を縫着し、
前記甲側前部の前記レース材の内面全体および前記甲側前部と対向する前記足底部の前部のレース材の内面に吸湿性と伸縮性を有する略半円状の補強布を縫着して取り付けていることを特徴とする靴下。
【発明の詳細な説明】
【技術分野】
【０００１】
本発明は靴下に関し、詳しくは、美観を損ねることなく靴下の爪先部分の補強ができ、かつ、爪先の冷えも防止できるものである。
【背景技術】
【０００２】
従来より、パンプスの下にも履くことが可能な薄手で浅履きの靴下が提案されている。例えば、特開２００４−１１０８１号公報（特許公報１）には、大きめの履き口部３を囲み、爪先側から踵側までの足裏および足甲を被覆する被覆部２が編地で形成された靴下（フットカバー）１が示されている（図９参照）。また、前記被覆部２をレース材から形成し、より美観性を高めた靴下も提案されている。
レース材で足を被覆する前記靴下は足元を美しく見せることができる一方、通気性が高く発汗などによって気化熱が奪われやすいため、爪先側が特に冷えやすいという問題がある。また、前記レース材のうち、爪先側を被覆する部分は大きな負荷がかかるため破れや擦り切れなどが生じやすく、耐久性の点でも問題がある。
【０００３】
【特許文献１】特開２００４−１１０８１号公報
【発明の開示】
【発明が解決しようとする課題】
【０００４】
本発明は前記問題に鑑みてなされたものであり、薄手で浅履きの靴下でありながら、美観を損ねることなく爪先側の冷えを防止できると共に、爪先側を被覆する部分の破れや擦り切れ等を防止して靴下の耐久性を高めることを課題としている。
【課題を解決するための手段】
【０００５】
前記課題を解決するため、本発明は、足裏全体を覆う足底部と、
足甲側に、爪先側前部を覆う甲側前部と、両側面を覆う一対の側部と、足首背面を覆う足首部とからなる甲側被覆部を備え、該甲側被覆部で履き口部を囲み、
前記甲側被覆部および前記足底部をレース材で形成し、前記足底部と前記足首部および前記一対の側部は１枚のレース材を立体裁断して形成している一方、前記甲側前部は略半円状のレース材で形成し、これらレース材を縫着し、
前記甲側前部の前記レース材の内面全体および前記甲側前部と対向する前記足底部の前部のレース材の内面に吸湿性と伸縮性を有する略半円状の補強布を縫着して取り付けていることを特徴とする靴下を提供している。
【０００６】
前記構成によれば、甲側前部と一対の側部と足首部とからなる甲側被覆部で履き口部を囲む浅履きタイプの靴下において、外部に露出されることの多い甲側被覆部が薄地で繊細な生地であるレース材で形成されているため、靴下の美観性を高めることができる。
また、前記レース材の爪先側前部を覆う甲側前部の内面に吸湿性を有する補強布を取り付けているため、美観を損ねることなく、汗などの水分を前記補強布に吸収させて爪先側の冷えを防止することができる。さらに、爪先側を覆う甲側前部のレース材を前記補強布によって補強しているため、破れ等を防いで靴下の耐久性を高めることもできる。また、前記補強布は伸縮性も有しているため、補強布によって爪先側の自由な動きが阻害されることがなく、また、レース材の粗い肌触りも前記補強布により改善されるため、快適な履き心地を得ることができる。
【０００８】
前記のように、足底部と足首部と一対の側部を、１枚のレース材を立体裁断して形成し、これに前記略半円状の甲側前部のレース材を縫着して全面レースの靴下を形成している。したがって、足によりフィットしやすく、縫い目の少ない快適で美しい靴下を得ることができる。
【０００９】
また、前記構成によれば、甲側前部の略半円状のレース材の内面全体に前記補強布を縫着すると共に、前記甲側前部と対向する足底部の前部にもレース材の内面に略半円状の補強布を縫着しているため、爪先側を上下の補強布で包む形となってより効果的に冷えを防止できると共に、甲側前部のみならず足底部前部のレース材の補強もしっかりと行うことができる。
【００１３】
前記補強布は、ベア天竺編みの編地からなるストレッチコットンであることが好ましい。
【００１４】
ベア天竺編みの編地は、綿糸にポリウレタン糸を添え糸編みした天竺編地のことで、吸湿性と伸縮性に優れた編地である。このような編地からなるストレッチコットンを前記補強布として用いることにより、靴下の補強性、吸湿、保温性、運動追従性を一層高めることが可能となる。
【発明の効果】
【００１５】
前述したように、本発明によれば、靴下の甲側被覆部をレース材で形成していると共に、前記レース材の爪先側前部を覆う甲側前部の内面に吸湿性を有する補強布を取り付けているため、美観を損ねることなく、汗などの水分を前記補強布に吸収させて爪先側の冷えを防止できる。また、前記補強布によって爪先側を覆う甲側前部のレース材を補強することができるため、破れ等を防いで靴下の耐久性を高めることができる。さらに、前記補強布は伸縮性も有しているため、補強布によって爪先側の自由な動きが阻害されることもなく、また、レース材の粗い肌触りも前記補強布により改善されるため、快適な履き心地を得ることができる。
【００１６】
特に、足底部と足首部と一対の側部を、１枚のレース材を立体裁断して形成し、これに前記略半円状の甲側前部のレース材を縫着して全面レースの靴下を形成することにより、足によりフィットしやすく、縫い目の少ない快適で美しい靴下を得ることができる。この際、甲側前部の略半円状のレース材の内面全体に前記補強布を縫着すると共に、前記甲側前部と対向する足底部の前部にもレース材の内面に略半円状の補強布を縫着することにより、爪先側を上下の補強布で包む形となってより効果的に冷えを防止でき、さらに、甲側前部のみならず足底部前部のレース材の補強もしっかりと行うことができる。
【００１８】
また、前記のように、ベア天竺編みの編地からなる吸湿性、伸縮性に優れたストレッチコットンで前記補強布を形成することにより、靴下の補強性、吸湿、保温性、運動追従性を一層高めることができる。
【発明を実施するための最良の形態】
【００１９】
以下、本発明の実施形態を図面を参照して説明する。
図１乃至図４に本発明の第１実施形態の靴下１０を示す。
図１は靴下１０の斜視図、図２は裏返した靴下１０の斜視図、図３および図４は靴下１０の展開図を示し、図３および図４は、ともに靴下１０の内面側を表している。
図１乃至図４に示すように、靴下１０は、足裏全体を覆う足底部１１と、足甲側を覆う甲側被覆部１２から形成している。甲側被覆部１２は、爪先側前部を覆う甲側前部１２ａと、両側面を覆う一対の側部１２ｂと、足首背面を覆う足首部１２ｃからなり、甲側被覆部１２で履き口部１３を囲んでいる。
【００２０】
図３および図４に示すように、本実施形態では、甲側前部１２ａを略半円状のレース材１４で形成し、該レース材１４の内面全体には、吸湿性と伸縮性に優れたベア天竺編地のストレッチコットンからなる補強布１６を縫着している。
一方、足底部１１と甲側被覆部１２の足首部１２ｃおよび一対の側部１２ｂは、１枚のレース材１５を立体裁断して形成しており、甲側前部１２ａと対向する足底部１１前部のレース材１５の内面にも、補強布１６と同じ材質の略半円状の補強布１７を縫着している。なお、レース材１４、１５の材質は同じであり、本実施形態では、レース材１４、１５はナイロンとポリウレタンの複合糸からなレース糸から編成している。
【００２１】
具体的には、補強布１６を縫着ライン１８に沿って予め縫着したレース材１４と、補強布１７を縫着ライン１９に沿って予め縫着したレース材１５とを、補強布１６、１７が縫着された面を外側にして、縫着ライン２０に沿って縫着している。この縫着により、甲側前部１２ａのレース材１４と足底側のレース材１５との間に爪先前部がフィットする挿入空間が形成される。
また、レース材１５の一対の側部１２ｂの側辺１２ｂ−１と、レース材１５の足首部１２ｃの側辺１２ｃ−１とを、縫着ライン２１に沿って夫々縫着していると共に、一対の側部１２ｂの他の側辺１２ｂ−２を甲側前部１２ａのレース材１４上に重ねて縫着ライン２２に沿って夫々縫着している（図２）。縫着完了後、表返すことにより図１に示す靴下１０が得られる。
【００２２】
なお、本実施形態では、レース材１４のレース端を甲側前部１２ａの端部１２ａ−１に位置させると共に、レース材１５のレース端を１対の側部１２ｂの上端１２ｂ−３に夫々位置させて、靴下１０の履き口部１３に装飾的な美しい曲線を形成させている。
【００２３】
前記のように、足底部１１と足首部１２ｃおよび一対の側部１２ｂを、１枚のレース材１５を立体裁断して形成し、これに略半円状の甲側前部１２ａのレース材１４を縫着して全面レースの靴下１０を形成することにより、足によりフィットしやすく、縫い目の少ない快適で美しい靴下を得ることができる。
【００２４】
この際、前記のように、甲側前部１２ａの略半円状のレース材１４の内面全体に吸湿性に優れた補強布１６を縫着すると共に、甲側前部１２ａと対向する足底部１１前部のレース材１５の内面にも、補強布１６と同じ材質の略半円状の補強布１７を縫着しているため、爪先側を包む上下の補強布１６、１７が汗などの水分を吸収して爪先側の冷えを効果的に防止することができる。また、補強布１６、１７によって、甲側前部１２ｂのレース材１４および足底部１１前部のレース材１５の補強もしっかりと行うことができるため、靴下１０の耐久性を高めることができる。さらに、補強布１６、１７は伸縮性にも優れているため、補強布１６、１７によって爪先側の自由な動きが阻害されることもなく、また、レース材１４、１５の粗い肌触りも補強布１６、１７により改善されるため、快適な履き心地を得ることができる。
【００２５】
特に、前記のように、ベア天竺編みの編地からなる吸湿性、伸縮性に優れたストレッチコットンで補強布１６、１７を形成することにより、靴下１０の補強性、吸湿、保温性、運動追従性を高めることができる。
【００２６】
図５乃至図８は、参考実施形態を示している。図５は靴下３０の斜視図、図６は裏返した靴下３０の斜視図、図７および図８は靴下３０の分解平面図を示し、図７および図８は、ともに靴下３０の内面側を表している。
図５乃至図８に示すように、靴下３０は、足裏全体を覆う足底部３１と、足甲側を覆う甲側被覆部３２とから形成している。履き口部３３を囲む甲側被覆部３２は、左右対称形状の２枚のレース材３４から形成し、該レース材３４の内面全体に、吸湿性と伸縮性に優れた補強布３５をそれぞれ縫着している。
なお、本参考実施形態ではレース材３４をナイロンとポリウレタンの複合糸のレース糸を用いて編成し、補強布３５の材質は第１実施形態の補強布１６、１７の材質と同様としている。
一方、足底部３１は、補強布３５と同じ材質の布３６から形成している。
【００２７】
具体的には、補強布３５を縫着ライン３７に沿って予め縫着した左右対称形状のレース材３４同士を、図８に示すように、それぞれ補強布３５が縫着された面を外側にして、縫着ライン３８、３９に沿って縫着している。さらに、前記補強布３５が縫着された左右対称形状のレース材３４と足底部３１の布３６とを、縫着ライン４０に沿って縫着している（図６）。縫着完了後、表返すことにより図５に示す靴下３０が得られる。
また、本実施形態においても、レース材３４のレース端を甲側被覆部３２の上端に位置させて、靴下３０の履き口部３３に装飾的な美しい曲線を形成させている。
【００２８】
前記のように、甲側被覆部３２を左右対称形状の２枚のレース材３４から形成し、前記２枚のレース材３４の内面全体に、吸湿性に優れた補強布３５を縫着しているため、靴下３０の美観性を保ちながら、爪先側を含む足甲側全体の冷えを防止することができる。かつ、甲側被覆部３２のレース材３４全体の補強も可能となり、靴下３０の耐久性を一層高めることができる。
【００２９】
この際、前記のように、足底部３１を補強布３５と同じ材質の布３６から形成することにより、足底部３１全体の耐久性も向上させ、足裏の冷えも防止することができる。また、レース材３４の内面全体に縫着する補強布３５および足底部３１を形成する前記布３６は伸縮性にも優れているため、足のさまざまな動きに柔軟に対応することができ、より快適な履き心地を得ることができる。
また、前記実施形態および参考実施形態において、補強材とレース材のカラーを変えることにより意匠的効果を出すこともできる。
【図面の簡単な説明】
【００３０】
【図１】第１実施形態における靴下の概略斜視図である。
【図２】裏返した靴下の概略斜視図である。
【図３】補強布をレース材に縫着する前の靴下の展開図である。
【図４】補強布をレース材に縫着した状態の靴下の展開図である。
【図５】参考実施形態における靴下の概略斜視図である。
【図６】前記参考実施形態の裏返した靴下の概略斜視図である。
【図７】前記参考実施形態の補強布をレース材に縫着する前の靴下の分解平面図である。
【図８】前記参考実施形態の補強布をレース材に縫着した状態の靴下の分解平面図である。
【図９】従来例を示す図である。
【符号の説明】
【００３１】
１０、３０  靴下
１１、３１  足底部
１２、３２  甲側被覆部
１２ａ  甲側前部
１２ｂ  側部
１２ｃ  足首部
１３、３３  履き口部
１４、１５、３４  レース材
１６、１７、３５  補強布
１８、１９、２０、２１、２２、３７、３８、３９、４０  縫着ライン
３６  （足底部を形成する）布
【図１】
0005221995.tif 000002
【図２】
0005221995.tif 000003
【図３】
0005221995.tif 000004
【図４】
0005221995.tif 000005
【図５】
0005221995.tif 000006
【図６】
0005221995.tif 000007
【図７】
0005221995.tif 000008
【図８】
0005221995.tif 000009
【図９】
0005221995.tif 000010